(57)【要約】【課題】緊急情報が配信された端末の位置を、他の端末からアクセスを行わなくとも他の端末へ通知できるようにする。【解決手段】緊急地震速報を受信した緊急情報サーバ３０は、当該速報の配信地域に在圏する端末装置５０Ａの端末識別情報と位置情報と取得し、緊急地震速報と共にフォトサーバ４０へ送信する。フォトサーバ４０は、送信された端末識別情報に対応付けて記憶している電子メールアドレスを抽出し、抽出したアドレスのデジタルフォトフレーム１０Ａへ、端末装置５０Ａの位置や避難場所、端末装置５０Ａが地震の発生場所にいることを通知する画像データを送信する。【選択図】図１
2014092970.tif 000002
【特許請求の範囲】
【請求項１】
複数の端末識別情報を対応付けて記憶する記憶手段と、
緊急情報の配信地域に在圏する端末装置の端末識別情報と、当該端末装置の位置情報とを取得し、取得した端末識別情報の端末が、取得した位置情報の位置にいることを表す情報を生成する生成手段と、
前記生成手段が取得した端末識別情報が前記記憶手段に記憶されている場合、当該取得した端末識別情報に対応付けて記憶されている端末識別情報で特定される端末装置へ、前記生成手段が生成した情報を送信する送信手段と
を有するサーバ装置。
【請求項２】
前記記憶手段は、位置情報と避難場所名称とを対応付けて記憶し、
前記生成手段は、取得した位置情報に対応付けて記憶されている避難場所名称を前記記憶手段から取得して前記情報に含める
請求項１に記載のサーバ装置。
【請求項３】
前記記憶手段は、地図データを記憶し、
前記生成手段は、前記記憶手段から取得した避難場所名称が表す避難場所を含む地図の画像を前記地図データから生成し、生成した画像を前記情報に含める
請求項２に記載のサーバ装置。
【請求項４】
前記生成手段は、前記緊急情報を取得し、取得した緊急情報の内容を前記情報に含める
請求項１乃至請求項３のいずれか一項に記載のサーバ装置。
【請求項５】
緊急情報の配信地域に在圏する端末装置の端末識別情報と、当該端末装置の位置情報とを取得し、取得した端末識別情報の端末が、取得した位置情報の位置にいることを表す情報を生成する生成ステップと、
前記生成ステップが取得した端末識別情報が、複数の端末識別情報を対応付けて記憶する記憶手段に記憶されている場合、当該取得した端末識別情報に対応付けて記憶されている端末識別情報で特定される端末装置へ、前記生成ステップで生成した情報を送信する送信ステップと
を有する位置通知方法。
【請求項６】
コンピュータに、
緊急情報の配信地域に在圏する端末装置の端末識別情報と、当該端末装置の位置情報とを取得し、取得した端末識別情報の端末が、取得した位置情報の位置にいることを表す情報を生成する生成ステップと、
前記生成ステップが取得した端末識別情報が、複数の端末識別情報を対応付けて記憶する記憶手段に記憶されている場合、当該取得した端末識別情報に対応付けて記憶されている端末識別情報で特定される端末装置へ、前記生成ステップで生成した情報を送信する送信ステップと
を実行させるためのプログラム。
【発明の詳細な説明】
【技術分野】
【０００１】
本発明は、サーバ装置、位置通知方法及びプログラムに関する。
【背景技術】
【０００２】
特許文献１には、緊急災害情報を受信した端末の位置を他の端末で確認する情報処理システムが開示されている。この情報処理システムにおいては、緊急災害情報を受信した携帯端末は、緊急災害情報受信時の位置を予め定められたサーバに対して自動送信する。位置を受信したサーバは、受信した位置を保持し、他の端末から照会を受けると、照会を受けた携帯端末の位置情報を応答する。
【先行技術文献】
【特許文献】
【０００３】
【特許文献１】特開２０１０−１０２６３５号公報
【発明の概要】
【発明が解決しようとする課題】
【０００４】
特許文献１のシステムによれば、緊急災害情報が配信された家族や友人の位置を知ることができるが、照会を行う者がサーバにアクセスする必要がある。この構成では、照会を行う者が災害に係る場所にいない場合には、緊急災害情報が配信されたことが分からないため、テレビやラジオで災害の発生を知ってからでないと、サーバへのアクセスを行うことができず、直ぐに家族や友人の位置を知ることが難しい。
【０００５】
本発明は、上述した背景の下になされたものであり、緊急情報が配信された端末の位置を、他の端末からアクセスを行わなくとも他の端末へ通知できるようにすることを目的とする。
【課題を解決するための手段】
【０００６】
上述した目的を達成するため、本発明は、複数の端末識別情報を対応付けて記憶する記憶手段と、緊急情報の配信地域に在圏する端末装置の端末識別情報と、当該端末装置の位置情報とを取得し、取得した端末識別情報の端末が、取得した位置情報の位置にいることを表す情報を生成する生成手段と、前記生成手段が取得した端末識別情報が前記記憶手段に記憶されている場合、当該取得した端末識別情報に対応付けて記憶されている端末識別情報で特定される端末装置へ、前記生成手段が生成した情報を送信する送信手段とを有するサーバ装置を提供する。
【０００７】
本発明においては、前記記憶手段は、位置情報と避難場所名称とを対応付けて記憶し、前記生成手段は、取得した位置情報に対応付けて記憶されている避難場所名称を前記記憶手段から取得して前記情報に含める構成としてもよい。
【０００８】
また、本発明においては、前記記憶手段は、地図データを記憶し、前記生成手段は、前記記憶手段から取得した避難場所名称が表す避難場所を含む地図の画像を前記地図データから生成し、生成した画像を前記情報に含める構成としてもよい。
【０００９】
また、本発明においては、前記生成手段は、前記緊急情報を取得し、取得した緊急情報の内容を前記情報に含める構成としてもよい。
【００１０】
また、本発明は、緊急情報の配信地域に在圏する端末装置の端末識別情報と、当該端末装置の位置情報とを取得し、取得した端末識別情報の端末が、取得した位置情報の位置にいることを表す情報を生成する生成ステップと、前記生成ステップが取得した端末識別情報が、複数の端末識別情報を対応付けて記憶する記憶手段に記憶されている場合、当該取得した端末識別情報に対応付けて記憶されている端末識別情報で特定される端末装置へ、前記生成ステップで生成した情報を送信する送信ステップとを有する位置通知方法を提供する。
【００１１】
また、本発明は、コンピュータに、緊急情報の配信地域に在圏する端末装置の端末識別情報と、当該端末装置の位置情報とを取得し、取得した端末識別情報の端末が、取得した位置情報の位置にいることを表す情報を生成する生成ステップと、前記生成ステップが取得した端末識別情報が、複数の端末識別情報を対応付けて記憶する記憶手段に記憶されている場合、当該取得した端末識別情報に対応付けて記憶されている端末識別情報で特定される端末装置へ、前記生成ステップで生成した情報を送信する送信ステップとを実行させるためのプログラムを提供する。
【発明の効果】
【００１２】
本発明によれば、緊急情報が配信された端末の位置を、他の端末からアクセスを行わなくとも他の端末へ通知できる。
【図面の簡単な説明】
【００１３】
【図１】本発明の一実施形態に係る通知システム１を構成する装置を示した図。
【図２】デジタルフォトフレーム１０のハードウェア構成を示したブロック図。
【図３】デジタルフォトフレーム１０において実現する機能の構成を示したブロック図。
【図４】緊急情報サーバ３０のハードウェア構成を示したブロック図。
【図５】緊急情報サーバ３０において実現する機能の構成を示したブロック図。
【図６】フォトサーバ４０のハードウェア構成を示したブロック図。
【図７】ユーザデータベースＤＢ１の構成を示した図。
【図８】ユーザデータベースＤＢ１の構成を示した図。
【図９】緊急情報サーバ３０において実現する機能の構成を示したブロック図。
【図１０】実施形態の動作例を説明するためのシーケンス図。
【図１１】制御部４０１が行う処理の流れを示したフローチャート。
【図１２】無線基地局がカバーする通信エリアに在圏する端末装置５０を例示した図。
【図１３】制御部４０１が行う処理の流れを示したフローチャート。
【図１４】デジタルフォトフレーム１０に表示される画面例を示した図。
【図１５】デジタルフォトフレーム１０に表示される画面例を示した図。
【発明を実施するための形態】
【００１４】
［実施形態］
＜全体構成＞
図１は、本発明の一実施形態に係る通知システム１に係る装置を示した図である。通信網２０は、音声通信やデータ通信などの通信サービスを提供する移動体通信網である。なお、通信網２０は、インターネットや固定電話網なども含めることができる。通信網２０には、デジタルフォトフレーム１０Ａ、１０Ｂや、緊急情報サーバ３０、フォトサーバ４０、端末装置５０Ａ、５０Ｂなどが接続される。なお、通信網２０に接続される各装置の数は図１に示した数に限定されるものではなく、図１に示した数以上の装置を接続することができる。
【００１５】
端末装置５０Ａ、５０Ｂは、本実施形態においては携帯電話機であり、通信網２０を介して音声通信やデータ通信を行う。本実施形態においては、端末装置５０Ａ、５０Ｂは携帯電話機であるが、携帯電話機に限定されるものではなく、通信網２０を介した通信を行う機能を備えているものであれば、スマートフォン、タブレットＰＣ（Personal Computer）、フィーチャーフォン又はＰＤＡ（Personal Digital Assistant）などであってもよい。なお、端末装置５０Ａ、５０Ｂの構成は同じであるため、以下、各々を区別する必要のない場合は端末装置５０と記載する。
【００１６】
緊急情報サーバ３０は、通信網２０を介して緊急の情報を配信するコンピュータ装置である。緊急情報サーバ３０は、国や地方公共団体が提供する災害情報や避難情報、気象庁が提供する緊急地震速報や津波警報などの緊急情報を取得し、取得した緊急情報を通信網２０に接続可能なデジタルフォトフレーム１０Ａ、１０Ｂや、端末装置５０Ａ、５０Ｂへ同報配信する。
また、本実施形態に係る緊急情報サーバ３０は、緊急情報に関係する地域に在圏する端末装置５０の位置を取得し、取得した位置を表す位置情報、緊急情報に関係する地域に在圏する端末装置５０を識別する端末識別情報、及び取得した緊急情報をフォトサーバ４０へ送信する。
【００１７】
フォトサーバ４０は、デジタルフォトフレーム１０へデジタル写真の画像データを送信するコンピュータ装置である。フォトサーバ４０は、画像データが添付された電子メールを受信し、受信した電子メールに添付されている画像データや、電子メールの本文や電子メールの送信元の電子メールアドレスなどのテキスト情報などをデジタルフォトフレーム１０Ａ、１０Ｂへ送信する。また、フォトサーバ４０は、緊急情報を受信した端末装置５０に関係する情報をデジタルフォトフレーム１０Ａ、１０Ｂへ送信する機能を有している。
【００１８】
デジタルフォトフレーム１０Ａ、１０Ｂは、デジタル写真を表示する表示装置である。デジタルフォトフレーム１０Ａ、１０Ｂの構成は同じであるため、以下、各々を区別する必要のない場合はデジタルフォトフレーム１０と記載する。本実施形態に係るデジタルフォトフレーム１０は、通信網２０が提供する通信サービスを受ける。デジタルフォトフレーム１０は、通信網２０からデータ通信（パケット通信）で送信される画像データやテキスト情報を受信し、受信したテキスト情報や画像データの画像を表示する。
また、デジタルフォトフレーム１０は、通信網２０からＣＢＳ（Cell Broadcast Service）と呼ばれる仕組みを用いて配信される緊急情報を受信し、受信した情報を表示する。
【００１９】
＜デジタルフォトフレーム１０の構成＞
図２は、デジタルフォトフレーム１０のハードウェア構成の一例を示したブロック図である。図２に示したように、デジタルフォトフレーム１０の各部は、バス１００に接続されている。デジタルフォトフレーム１０の各部は、このバス１００を介して各部間でデータのやり取りを行う。
通信部１０５は、通信網２０を介して通信を行う通信インターフェースとして機能する。通信部１０５は、通信網２０からデータ通信で送信される画像データやテキスト情報、ＣＢＳで送信される緊急情報などを受信する。
【００２０】
表示部１０４は、画像を表示するディスプレイ装置を有しており、制御部１０１の制御の下、デジタル写真や電子メールの内容、デジタルフォトフレーム１０を操作するためのメニュー画面などを表示する。操作部１０３は、デジタルフォトフレーム１０を操作するためのボタンや、表示部１０４のディスプレイ装置の表面に配置された透明なタッチパッドなどである。デジタルフォトフレーム１０のユーザが操作部１０３を操作すると、デジタルフォトフレーム１０は、行われた操作に応じて動作する。
【００２１】
記憶部１０２は、各種データやプログラムを記憶するメモリを備えており、データ通信機能、緊急情報を受信して表示する機能、フォトサーバ４０から送信される画像データやテキスト情報を受信する機能、受信した画像データの画像やテキスト情報を表示する機能などの各種機能を実現するプログラムを記憶している。
【００２２】
制御部１０１は、ＣＰＵ（Central Processing Unit）、ＲＯＭ（Read Only Memory）及びＲＡＭ（Random Access Memory）を備えたマイクロコントローラである。ＣＰＵがＲＯＭに記憶されているブートローダを実行した後、記憶部１０２に記憶されているプログラムを実行すると、上記の機能が実現する。
【００２３】
図３は、デジタルフォトフレーム１０において実現する機能のうち、本発明に係る機能の構成を示したブロック図である。
データ取得部１５１は、フォトサーバ４０から送信されて通信部１０５が受信した画像データやテキスト情報を取得する。データ取得部１５１は、取得した画像データやテキスト情報を記憶部１０２に記憶させる。また、データ取得部１５１は、取得した画像データやテキスト情報を表示制御部１５３へ供給する。
緊急情報取得部１５２は、通信網２０の無線基地局から送信されて通信部１０５が受信した緊急情報を取得する。緊急情報取得部１５２は、取得した緊急情報を示す画像を生成し、生成した画像の画像データを表示制御部１５３へ供給する。
表示制御部１５３は、供給される画像データが示す画像やテキスト情報が表示されるように、供給される画像データやテキスト情報に基いて表示部１０４を制御する。
【００２４】
＜緊急情報サーバ３０の構成＞
図４は、緊急情報サーバ３０のハードウェア構成の一例を示したブロック図である。図４に示したように、緊急情報サーバ３０の各部はバス３００に接続されており、このバス３００を介して各部間でデータのやり取りを行う。
【００２５】
通信部３０５は、通信ケーブルによって通信網２０に接続されており、通信網２０を介してデータ通信を行う通信インターフェースとして機能する。また、通信部３０５は、国や地方公共団体、気象庁などのコンピュータ装置と通信網２０又は専用線を介して接続され、接続されたコンピュータ装置から送信される緊急情報を受信する。操作部３０３は、ユーザにより操作されるキーボード及びマウスを有している。操作部３０３が操作されると、緊急情報サーバ３０は、行われた操作に応じて動作する。表示部３０４は、表示装置としてディスプレイ装置を有しており、制御部３０１の制御の下、文字やグラフィック画面、緊急情報サーバ３０を操作するためのメニュー画面などを表示する。
【００２６】
記憶部３０２は、データを記憶する装置（例えばハードディスク装置）を有しており、各種プログラムを記憶する。具体的には、緊急情報サーバ３０においてオペレーティングシステムの機能を実現するプログラムを記憶している。
また、記憶部３０２は、受信した緊急情報を、緊急情報に係る地域に在圏するデジタルフォトフレーム１０や端末装置５０へ送信する機能を実現するプログラムＰ１や、緊急情報に係る地域に在圏する端末装置５０を識別する端末識別情報、緊急情報に係る地域に在圏する端末装置５０の位置情報、及び緊急情報をフォトサーバ４０へ送信する機能を実現するプログラムＰ２などを記憶している。
【００２７】
制御部３０１は、ＣＰＵ、ＲＯＭ及びＲＡＭを備えており、ＣＰＵがＲＯＭに記憶されているブートローダを実行した後、記憶部３０２に記憶されているプログラムを実行すると、上記の機能が実現する。
【００２８】
図５は、緊急情報サーバ３０において実現する機能のうち、本発明に係る機能の構成を示したブロック図である。
メッセージ生成部３５０は、通信部３０５が受信した緊急情報を取得する。メッセージ生成部３５０は、取得した緊急情報に基いて、デジタルフォトフレーム１０及び端末装置５０に表示させるメッセージを生成する。
緊急情報配信部３５１は、通信部３０５が受信した緊急情報を取得する。緊急情報配信部３５１は、緊急情報に含まれている地域名に基いて、緊急情報を配信する配信地域を决定する。緊急情報配信部３５１は、通信網２０が有する無線ネットワーク制御装置のうち、决定した配信地域をカバーする無線ネットワーク制御装置へ、メッセージ生成部３５０が生成したメッセージを送信する。メッセージを受信した無線ネットワーク制御装置は、受信したメッセージを自身に接続されている無線基地局へ送る。無線基地局は、無線ネットワーク制御装置から送られたメッセージを配信する。
第１送信部３５２は、緊急情報を配信する配信地域に在圏する端末装置５０の端末識別情報や位置情報を通信網２０のロケーションレジスタから取得し、取得した端末識別情報や位置情報をフォトサーバ４０へ送信する。また、第１送信部３５２は、受信した緊急情報をフォトサーバ４０へ送信する。
【００２９】
［フォトサーバ４０の構成］
図６は、フォトサーバ４０のハードウェア構成の一例を示したブロック図である。図６に示したように、フォトサーバ４０の各部はバス４００に接続されており、このバス４００を介して各部間でデータのやり取りを行う。
通信部４０５は、通信網２０を介してデータ通信を行う通信インターフェースとして機能する。通信部４０５は、端末装置５０から送信される電子メールや、緊急情報サーバ３０から送信される各種情報を受信する。表示部４０４は、ディスプレイ装置を有しており、制御部４０１の制御の下、文字やグラフィック画面、フォトサーバ４０を操作するためのメニュー画面などを表示する。
【００３０】
記憶部４０２は、データを記憶する装置（例えばハードディスク装置）を有しており、各種プログラムを記憶する。具体的には、記憶部４０２は、フォトサーバ４０においてオペレーティングシステムの機能を実現するプログラムを記憶している。また、記憶部４０２は、デジタルフォトフレーム１０へ画像データやテキスト情報を送信する機能を実現するプログラムＰ３や、緊急情報を受信した端末装置５０に係る情報をデジタルフォトフレーム１０へ送信する機能を実現するプログラムＰ４などを記憶している。なお、本発明においては、プログラムＰ３とプログラムＰ４に分けるのではなく、プログラムＰ３で実現する機能とプログラムＰ４で実現する機能が一つのプログラムで実現するようにしてもよい。
【００３１】
また、記憶部４０２は、ユーザデータベースＤＢ１や避難場所データベースＤＢ２、全国地図のデータなどを記憶している。ユーザデータベースＤＢ１は、デジタルフォトフレーム１０の電子メールアドレスと、デジタルフォトフレーム１０へ画像データを送信する送信者の電子メールアドレスとの対応関係を格納したデータベースであり、本実施形態においては図７に示した構成となっている。
【００３２】
「フォトフレームアドレス」フィールドは、デジタルフォトフレーム１０に設定された電子メールアドレスが格納されるフィールドである。なお、図７に示したユーザデータベースＤＢ１においては、「フォトフレームアドレス」フィールドの１行目にデジタルフォトフレーム１０Ａの電子メールアドレスが格納され、２行目にデジタルフォトフレーム１０Ｂの電子メールアドレスが格納されているものとする。
【００３３】
「管理者アドレス」フィールドは、デジタルフォトフレーム１０の管理者の電子メールアドレスが格納されるフィールドである。図７に示したユーザデータベースＤＢ１においては、「管理者アドレス」フィールドの１行目にデジタルフォトフレーム１０Ａの管理者の電子メールアドレスが格納され、２行目にデジタルフォトフレーム１０Ｂの管理者の電子メールアドレスが格納されている。管理者は、デジタルフォトフレーム１０へ画像データが添付された電子メールを送信する者である。
【００３４】
「参加者アドレス」フィールドは、デジタルフォトフレーム１０に画像データを送ることを、デジタルフォトフレーム１０の管理者に許可された者の電子メールアドレスが格納されるフィールドである。図７に示したユーザデータベースＤＢ１においては、管理者以外にデジタルフォトフレーム１０Ａへの画像データの送信を許可された二人の電子メールアドレスがデジタルフォトフレーム１０Ａの電子メールアドレスに対応付けて格納され、管理者以外にデジタルフォトフレーム１０Ｂへの画像データの送信を許可された三人の電子メールアドレスがデジタルフォトフレーム１０Ｂの電子メールアドレスに対応付けて格納されている。
【００３５】
避難場所データベースＤＢ２は、緯度及び経度の情報と、災害発生時に当該緯度及び経度の位置からの避難場所となる場所の名称を記憶したデータベースであり、本実施形態においては図８に示した構成となっている。
「位置」フィールドは、緯度と経度の情報が格納されるフィールドである。緯度の情報は、「Ｎ：」の後に５桁の数字で格納され、経度の情報は、「Ｅ：」の後に６桁の数字で格納される。なお、本実施形態では「Ｎ：」は北緯を表し、「Ｅ：」は東経を表しているが、この構成に限定されるものではなく、南緯や西経を用いる場合もある。
「避難場所」フィールドは、同じレコードに格納されている緯度及び経度の位置からの避難場所となる場所の名称が格納されるフィールドである。例えば、「避難場場所」フィールドには、体育館や公民館、公共施設などの名称が格納される。
【００３６】
制御部４０１は、ＣＰＵ、ＲＯＭ及びＲＡＭを備えており、ＣＰＵがＲＯＭに記憶されているブートローダを実行した後、記憶部４０２に記憶されているプログラムを実行すると、上記の機能が実現する。
【００３７】
図９は、フォトサーバ４０において実現する機能のうち、本発明に係る機能の構成を示したブロック図である。
データ転送部４５０は、デジタルフォトフレーム１０宛に送信された電子メールを通信部４０５が受信すると、通信部４０５が受信した電子メールのテキスト情報や添付されている画像データ抽出し、抽出した画像データとテキスト情報とをデジタルフォトフレーム１０へ転送する。なお、データ転送部４５０は、画像データやテキスト情報の宛先となるアドレスがユーザデータベースＤＢ１の「フォトフレームアドレス」のフィールドに格納されており、且つ、画像データやテキスト情報の宛先となるアドレスが格納されているレコードの「管理者アドレス」フィールド又は「参加者アドレス」のフィールドに電子メールの送信者のアドレスが格納されている場合に抽出した画像データやテキスト情報を転送する。
【００３８】
データ生成部４５２は、通信部４０５が受信した端末識別情報、位置情報及び緊急情報を取得する。データ生成部４５２は、取得した各種情報を用いて、デジタルフォトフレーム１０へ送信する画像データを生成する。
第２送信部４５１は、通信部４０５が受信した端末識別情報とユーザデータベースＤＢ１を用いて、データ生成部４５２が生成した画像データの送信先を特定し、特定した送信先へ画像データを送信する。
【００３９】
＜実施形態の動作例＞
次に、本実施形態の動作の一例について説明する。まず、デジタルフォトフレーム１０Ａの管理者が端末装置５０Ａを操作し、画像データを添付した電子メールを、デジタルフォトフレーム１０Ａの電子メールアドレスを宛先として送信する（図１０：ステップＳ１）。フォトサーバ４０の通信部４０５は、この送信された電子メールを受信する。フォトサーバ４０は、電子メールを受信すると、受信した電子メールから抽出した画像データやテキスト情報を転送する処理を実行する。
【００４０】
具体的には、フォトサーバ４０の制御部４０１は、図１１に示した処理を実行する。制御部４０１は、受信した電子メールの送信者の電子メールアドレスを、ユーザデータベースＤＢ１の「管理者アドレス」フィールドと「参加者アドレス」フィールドにおいて検索する。ここで、例えば送信者の電子メールアドレスが「ccc@○○○.com」である場合、送信者の電子メールアドレスが「管理者アドレス」フィールドにあるため（ステップＳＡ１でＹＥＳ）、図７の１行目のレコードが検索される。なお、制御部４０１は、送信者の電子メールアドレスが「管理者アドレス」フィールドと「参加者アドレス」フィールドで見つからなかった場合（ステップＳＡ１でＮＯ）、画像データやテキスト情報の転送処理を終了する。
【００４１】
制御部４０１は、ステップＳＡ１でＹＥＳと判断した場合、検索されたレコードの「フォトフレームアドレス」のフィールドに、受信した電子メールの宛先となっている電子メールアドレスがあるか判断する。ここで、例えば受信した電子メールの宛先の電子メールアドレスが「aaa@○○○.com」である場合、検索された図７の１行目のレコードにおいては、「フォトフレームアドレス」のフィールドに「aaa@○○○.com」が格納されているため、制御部４０１は、受信した電子メールの宛先となっている電子メールアドレスが検索されたレコードの「フォトフレームアドレス」のフィールドにあると判断する（ステップＳＡ２でＹＥＳ）。なお、制御部４０１は、検索されたレコードの「フォトフレームアドレス」のフィールドに受信した電子メールの宛先となっている電子メールアドレスがなかった場合（ステップＳＡ２でＮＯ）、画像データやテキスト情報の転送処理を終了する。
【００４２】
制御部４０１は、ステップＳＡ２でＹＥＳと判断すると、受信した電子メールから抽出した画像データやテキスト情報を、当該電子メールの宛先とされている電子メールアドレスで特定されるデジタルフォトフレーム１０Ａへ転送する（ステップＳＡ３、ステップＳ２）。デジタルフォトフレーム１０Ａの通信部１０５は、フォトサーバ４０から送信された画像データやテキスト情報を受信する。
【００４３】
次に、気象庁から緊急情報の一例である緊急地震速報が配信されると、緊急情報サーバ３０の通信部３０５は、配信された緊急地震速報を受信する（ステップＳ４）。緊急地震速報には、地震の発生時刻、震源地、予測震度４以上の地域名などが含まれる。なお、本動作例では、緊急情報が緊急地震速報である場合を例にして動作の説明を行うが、緊急情報は、緊急地震速報に限定されるものではなく、津波警報や災害・避難情報であってもよい。
緊急情報サーバ３０の制御部３０１は、受信した緊急情報に基いて、デジタルフォトフレーム１０及び端末装置５０に表示させるメッセージを生成する。また、制御部３０１は、緊急情報に含まれている地域名に基いて、緊急情報を配信する配信地域を决定する。制御部３０１は、通信網２０が有する無線ネットワーク制御装置のうち、决定した配信地域をカバーする無線ネットワーク制御装置へ、生成したメッセージを送信する。メッセージを受信した無線ネットワーク制御装置は、受信したメッセージを無線基地局へ送る。無線基地局は、無線ネットワーク制御装置から送られたメッセージを配信する（ステップＳ５）。例えば、緊急地震速報に含まれている地域名の地域にデジタルフォトフレーム１０Ｂと端末装置５０Ａが在圏する場合、これらの装置へ緊急地震速報から生成されたメッセージが配信される。なお、緊急地震速報に含まれている地域名の地域にデジタルフォトフレーム１０Ａと端末装置５０Ｂが在圏していない場合、緊急地震速報から生成されたメッセージは、デジタルフォトフレーム１０Ａと端末装置５０Ｂには配信されない。
【００４４】
端末装置５０Ａとデジタルフォトフレーム１０Ｂが通信網２０を介した通信を行なっていない場合、端末装置５０Ａとデジタルフォトフレーム１０Ｂは、無線基地局から配信されたメッセージを受信する（ステップＳ６、Ｓ７）。端末装置５０Ａとデジタルフォトフレーム１０Ｂは、受信したメッセージを表示する（ステップＳ８、Ｓ９）。デジタルフォトフレーム１０Ｂにおいては、緊急情報取得部１５２は、メッセージを取得して当該メッセージの画像を生成し、表示制御部１５３は、当該メッセージの画像が表示されるように表示部１０４を制御する。表示されるメッセージの一例を図１４に示す。
【００４５】
一方、緊急情報サーバ３０は、緊急情報から生成したメッセージを送信した後、緊急情報を配信する配信地域に在圏する端末装置５０の位置情報と、当該端末装置５０の端末識別情報とを、通信網２０のロケーションレジスタから取得する（ステップＳ１０）。
具体的には、緊急情報サーバ３０は、决定した配信地域を表す配信地域情報をロケーションレジスタへ送信する。ロケーションレジスタは、緊急情報サーバ３０から送信された配信地域情報を受信する。ロケーションレジスタは、配信地域情報が表す地域をカバーする無線基地局を特定する。ロケーションレジスタは、特定した無線基地局毎に、当該無線基地局の位置情報と、当該無線基地局がカバーするエリアに在圏する端末装置５０の端末識別情報とを組にして緊急情報サーバ３０へ送信する。なお、本実施形態においては、端末識別情報として、端末装置５０のユーザの電子メールアドレスが使用される。
【００４６】
例えば、図１１に示したように、無線基地局２１Ａがカバーする通信エリアに端末装置５０Ａが在圏し、無線基地局２１Ｂがカバーする通信エリアに端末装置５０Ｂが在圏する場合、無線基地局２１Ａの位置情報（例えば、緯度及び経度の情報）と、端末装置５０Ａの端末識別情報の組がロケーションレジスタから緊急情報サーバ３０へ送信され、無線基地局２１Ｂの位置情報と端末装置５０Ｂの端末識別情報の組がロケーションレジスタから緊急情報サーバ３０へ送信される。なお、端末装置５０は、無線基地局の通信エリアに在圏している場合、無線基地局から所定の範囲内にいることになるため、無線基地局の位置情報を端末装置５０の位置情報とみなすことができる。
【００４７】
緊急情報サーバ３０は、ロケーションレジスタから送信された端末識別情報と位置情報の組及びステップＳ４で受信した緊急情報を、フォトサーバ４０へ送信する（ステップＳ１１）。フォトサーバ４０は、送信された端末識別情報と位置情報の組及び緊急情報を受信する（ステップＳ１２）。制御部４０１は、各種情報を受信すると、デジタルフォトフレーム１０へ送信する画像データを生成する処理を実行する（ステップＳ１３）。
【００４８】
具体的には、制御部４０１は、図１３に示した処理を実行する。まず制御部４０１は、受信した端末識別情報を、ユーザデータベースＤＢ１の「管理者アドレス」フィールドと「参加者アドレス」フィールドにおいて検索する。ここで、受信した端末識別情報が、ユーザデータベースＤＢ１の「管理者アドレス」フィールド又は「参加者アドレス」フィールドに格納されている場合（ステップＳＢ１でＹＥＳ）、制御部４０１は、検索した端末識別情報と組で受信した位置情報に対応付けられている避難場所の情報を、避難場所データベースＤＢ２から取得する（ステップＳＢ２）。制御部４０１は、取得した避難場所に基いて、避難場所及び避難場所周辺の地図の画像を、記憶部４０２に記憶されている地図データから生成する（ステップＳＢ３）。また、制御部４０１は、受信した緊急情報や取得した避難場所、取得した位置情報などを用いて、デジタルフォトフレーム１０に表示させる文章を生成する（ステップＳＢ４）。
【００４９】
制御部４０１は、ステップＳＢ４で生成した文章と、ステップＳＢ３で生成した地図を表す画像データを生成する（ステップＳＢ５）。また、制御部４０１は、検索した端末識別情報が格納されているレコードの「フォトフレームアドレス」のフィールドに格納されている電子メールアドレスを抽出し、ステップＳＢ５で生成した画像データの宛先を、抽出した電子メールアドレスで特定されるデジタルフォトフレーム１０にして送信する（ステップＳＢ６、ステップＳ１４）。
【００５０】
例えば、上述したように、緊急地震速報に含まれている地域名の地域に端末装置５０Ａが在圏していた場合、緊急情報サーバ３０からは、端末装置５０Ａのユーザの電子メールアドレス「ccc@○○○.com」と、端末装置５０Ａが在圏するエリアをカバーする無線基地局２１Ａの位置情報が送信される。制御部４０１がユーザデータベースＤＢ１において「ccc@○○○.com」の検索を行うと、図７のユーザデータベースＤＢ１には、受信した端末識別情報の「ccc@○○○.com」が１行目のレコードの「管理者アドレス」フィールドにあるため、この１行目のレコードが検索される。
【００５１】
次に制御部４０１は、検索した端末識別情報の「ccc@○○○.com」と組で受信した位置情報に対応付けられている避難場所の情報を、避難場所データベースＤＢ２から取得する。ここで、例えば受信した位置情報が「Ｎ：△△．×××、Ｅ：○○○．□△×」であった場合、図８の避難場所データベースＤＢ２においては、この位置情報が１行目のレコードに格納されている。制御部４０１は、この１行目のレコードに格納されている「○×体育館」という情報を避難場所データベースＤＢ２から取得する。制御部４０１は、避難場所の情報を取得すると、取得した「○×体育館」と「○×体育館」の周辺の地図の画像を、記憶部４０２に記憶されている地図データから生成する。
【００５２】
また、制御部４０１は、受信した緊急情報や位置情報、取得した避難場所などを用いて、デジタルフォトフレーム１０に表示させる文章を生成する。ここで、緊急情報サーバ３０から送信された緊急情報は、緊急地震速報であるため、この文章には、地震の発生日時、地震の発生場所、受信した位置情報、受信した端末識別情報のユーザが地震の発生場所にいることを知らせる文、避難場所などが含まれる。制御部４０１は、生成した文章の画像と地図の画像を含む画像の画像データを生成する。そして、制御部４０１は、生成した画像データを、ステップＳＢ１で検索された端末識別情報「ccc@○○○.com」が格納されているレコードの「フォトフレームアドレス」のフィールドに格納されている電子メールアドレス「aaa@○○○.com」で特定されるデジタルフォトフレーム１０へ送信する。
【００５３】
デジタルフォトフレーム１０Ａは、フォトサーバ４０から送信された画像データを受信し（ステップＳ１５）、受信した画像データが表す画像を表示する（ステップＳ１６）。
具体的には、制御部１０１のデータ取得部１５１が画像データを表示制御部１５３へ供給し、表示制御部１５３が、供給された画像データの画像が表示されるように表示部１０４を制御する。
これにより、デジタルフォトフレーム１０Ａにおいては、例えば図１５に示したように、デジタルフォトフレーム１０Ａの管理者の場所で地震が発生したことを知らせる文章や、当該管理者の避難場所の情報及び当該避難場所の地図などが表示される。
【００５４】
このように、デジタルフォトフレーム１０Ａに画像データを送信する管理者又は参加者が緊急情報が配信される地域に在圏した場合、デジタルフォトフレーム１０Ａのユーザは、デジタルフォトフレーム１０Ａに送信される画像データにより、管理者又は参加者が災害の発生場所にいることや、管理者又は参加者の避難場所を知ることができる。
また、本実施形態においては、緊急情報の受信を契機にして端末装置５０が位置情報をフォトサーバ４０へ送信しなくとも、端末装置５０の位置や避難場所を他者に知らせることができるため、端末装置５０からの通信が集中せず、輻輳の発生を抑えることができる。
【００５５】
［変形例］
以上、本発明の実施形態について説明したが、本発明は上述した実施形態に限定されることなく、他の様々な形態で実施可能である。例えば、上述の実施形態を以下のように変形して本発明を実施してもよい。なお、上述した実施形態及び以下の変形例は、各々を組み合わせてもよい。
【００５６】
端末装置５０のユーザであって、デジタルフォトフレーム１０へ電子メールを送信しないユーザの電子メールアドレスを記憶部４０２に記憶させ、デジタルフォトフレーム１０へ電子メールを送信しないユーザの避難場所についても、デジタルフォトフレーム１０へ送信するようにしてもよい。
【００５７】
フォトサーバ４０が生成して送信する画像データをデジタルフォトフレーム１０へ送信できなかった場合、フォトサーバ４０は、送信できなかった画像データを再送するようにしてもよい。なお、画像データを再送する場合には、フォトサーバ４０は、当該画像データを生成してから予め定められた時間が経過した後は、画像データの再送を行わないようにしてもよい。
【００５８】
上述した実施形態や変形例においては、管理者や参加者が緊急情報の配信地域にいることや、管理者や参加者の避難場所を、デジタルフォトフレーム１０のユーザへ画像データで知らせているが、この構成に限定されるものではなく、各種のプロトコルを用いて管理者や参加者が緊急情報の配信地域にいることや、管理者や参加者の避難場所を知らせるようにしてもよい。
【００５９】
上述した実施形態においては、電子メールの送受信を行うフォトサーバ４０が緊急情報を受信し、緊急情報から生成した画像データを配信しているが、この構成に限定されるものではない。例えば、端末装置５０から送信されたファイルの記憶や、記憶したファイルの端末装置５０への送信を行うファイルサーバにおいても、緊急情報を受信し、緊急情報から生成した画像データを端末装置５０へ送信するようにしてもよい。
【００６０】
上述した実施形態においては、フォトサーバ４０は、緊急情報サーバ３０から送信される緊急情報を受信しているが、この構成に限定されるものではない。例えば、フォトサーバ４０も、国や地方公共団体、気象庁などのコンピュータ装置と通信網２０又は専用線を介して接続され、このコンピュータ装置から送信される緊急情報を受信するようにしてもよい。また、この変形例においては、フォトサーバ４０が緊急情報の配信地域に在圏する端末装置５０の位置情報と端末識別情報とをロケーションレジスタから取得するようにしてもよい。
また、上述した実施形態においては、緊急情報の配信地域に在圏する端末装置５０の端末識別情報や位置情報をロケーションレジスタが緊急情報サーバ３０へ送信しているが、フォトサーバ４０へ送信し、フォトサーバ４０は、ロケーションレジスタから送信されたこれらの情報を使用するようにしてもよい。
【００６１】
上述した実施形態においては、フォトサーバ４０は、避難場所データベースＤＢ２と地図のデータを記憶しており、避難場所と避難場所周辺の地図の画像を生成しているが、避難場所と避難場所周辺の地図の画像を生成する構成は、この構成に限定されるものではない。
例えば、避難場所データベースＤＢ２と地図のデータを記憶したサーバ装置をフォトサーバ４０とは別に設け、フォトサーバ４０から位置情報が送信されると、当該サーバ装置が、避難場所の名称、及び避難場所と避難場所周辺の地図の画像をフォトサーバ４０へ送信し、フォトサーバ４０は、送信された避難場所の名称及び地図の画像を使用するようにしてもよい。
【００６２】
上述した実施形態においては、ユーザデータベースＤＢ１の「管理者アドレス」フィールド又は「参加者アドレス」フィールドに格納されている電子メールアドレスのユーザの端末装置５０が緊急情報の配信地域に在圏した場合、当該電子メールアドレスが格納されているレコードの「フォトフレームアドレス」フィールドに格納されている電子メールアドレスのデジタルフォトフレーム１０へ、避難場所の名称、及び避難場所と避難場所周辺の地図の画像を送信しているが、この構成に限定されるものではない。
例えば、端末識別情報として電子メールアドレスの「eee＠○○○.com」をフォトサーバ４０が受信した場合、フォトサーバ４０は、ユーザデータベースＤＢ１において「eee＠○○○.com」が格納されているレコードに格納されている他の電子メールアドレスの「aaa＠○○○.com」、「ccc＠○○○.com」、「fff＠○○○.com」をユーザデータベースＤＢ１から抽出し、避難場所の名称、及び避難場所と避難場所周辺の地図の画像を含む画像データを、抽出した電子メールアドレスを宛先として送信するようにしてもよい。
また、例えば、端末識別情報として電子メールアドレスの「bbb＠○○○.com」をフォトサーバ４０が受信した場合、フォトサーバ４０は、ユーザデータベースＤＢ１において「bbb＠○○○.com」が格納されているレコードに格納されている他の電子メールアドレスの「ddd＠○○○.com」、「ggg＠○○○.com」、「hhh＠○○○.com」及び「iii＠○○○.com」をユーザデータベースＤＢ１から抽出し、避難場所の名称、及び避難場所と避難場所周辺の地図の画像を含む画像データを、抽出した電子メールアドレスを宛先として送信するようにしてもよい。
【００６３】
上述した実施形態においては、端末識別情報は、電子メールアドレスとなっているが、端末装置５０を一意に識別できる情報であれば、端末識別情報は電子メールアドレスに限定されるものではなく、電話番号や個体識別番号であってもよい。
例えば、端末識別情報として電話番号を使用する場合、ユーザデータベースＤＢ１の「管理者アドレス」フィールドには、デジタルフォトフレーム１０の管理者の電話番号が格納され、「参加者アドレス」フィールドには、デジタルフォトフレーム１０に画像データを送ることを、デジタルフォトフレーム１０の管理者に許可された者の電話番号が格納される。
また、端末識別情報として個体識別番号を使用する場合には、ユーザデータベースＤＢ１の「管理者アドレス」フィールドには、デジタルフォトフレーム１０の管理者の端末装置５０Ａの個体識別番号が格納され、「参加者アドレス」フィールドには、デジタルフォトフレーム１０に画像データを送ることを、デジタルフォトフレーム１０の管理者に許可された者の端末装置５０の個体識別番号が格納される。
【００６４】
上述した実施形態においては、避難場所の名称や避難場所の地図の画像をフォトサーバ４０からデジタルフォトフレーム１０へ送信しているが、この構成に限定されるものではない。フォトサーバ４０が生成してデジタルフォトフレーム１０へ送信する画像データにおいては、避難場所の地図の画像を含まない構成であってもよい。この場合、図１５に示した画面例から地図の画像を除いた表示となる。
【００６５】
上述した実施形態は、ＣＢＳで緊急情報を配信しているが、ＥＴＷＳ（Earthquake and Tsunami Warning System）で緊急情報を配信する構成に本発明の構成を適用するようにしてもよい。
【００６６】
上述した実施形態においては、デジタルフォトフレーム１０がフォトサーバ４０から送信される情報を取得しているが、フォトサーバ４０から送信される情報を取得する装置は、デジタルフォトフレーム１０に限定されるものではない。フォトサーバ４０から送信される情報を受信する装置は、例えば、スマートフォン、タブレットＰＣ（Personal Computer）、フィーチャーフォン又はＰＤＡ、デスクトップ型のパーソナルコンピュータなど他の装置であってもよい。
【００６７】
上述した実施形態においては、避難場所データベースＤＢ２は、位置のフィールドに緯度及び経度の情報を格納しているが、位置のフィールドの各セルにおいて、領域の頂点となる複数位置の緯度及び経度を格納してもよい。この構成の場合、制御部４０１は、受信した位置情報に対応する避難場所を特定する際、受信した位置情報の位置を含む領域の緯度及び経度を格納したセルを特定し、特定したセルと同じ行に格納されている避難場所を、受信した位置情報に対応する避難場所としてもよい。
【００６８】
上述した避難場所データベースＤＢ２においては、位置のフィールドに避難場所の位置を格納するようにしてもよい。この構成の場合、制御部４０１は、受信した位置情報の位置に最も近い位置を避難場所データベースＤＢ２において検索し、最も近い位置に対応付けられている避難場所及び避難場所周辺の地図の画像を地図データから生成してもよい。
【００６９】
本発明に係る機能を実現するプログラムは、磁気記録媒体（磁気テープ、磁気ディスク（ＨＤＤ（Hard Disk Drive）、ＦＤ（Flexible Disk））など）、光記録媒体（光ディスクなど）、光磁気記録媒体、半導体メモリなどのコンピュータ読取り可能な記録媒体に記憶した状態で提供し、各装置にインストールしてもよい。また、通信網２０を介してプログラムをダウンロードして各装置にインストールしてもよい。
【符号の説明】
【００７０】
１０，１０Ａ、１０Ｂ…デジタルフォトフレーム、２０…通信網、３０…緊急情報サーバ、４０…フォトサーバ、５０、５０Ａ、５０Ｂ…端末装置、１０１…制御部、１５１…データ取得部、１５２…緊急情報取得部、１５３…表示制御部、３０１…制御部、３５０…メッセージ生成部、３５１…緊急情報配信部、３５２…第１送信部、４０１…制御部、４５０…データ転送部、４５１…第２送信部、４５２…データ生成部、ＤＢ１…ユーザデータベース、ＤＢ２…避難場所データベース。
【図１】
2014092970.tif 000003
【図２】
2014092970.tif 000004
【図３】
2014092970.tif 000005
【図４】
2014092970.tif 000006
【図５】
2014092970.tif 000007
【図６】
2014092970.tif 000008
【図７】
2014092970.tif 000009
【図８】
2014092970.tif 000010
【図９】
2014092970.tif 000011
【図１０】
2014092970.tif 000012
【図１１】
2014092970.tif 000013
【図１２】
2014092970.tif 000014
【図１３】
2014092970.tif 000015
【図１４】
2014092970.tif 000016
【図１５】
2014092970.tif 000017